(57)【要約】【課題】頭部への装着が容易な脳波計を提供する。【解決手段】脳波計１００は、頭部に装着可能な脳波計１００であって、脳波計１００が頭部に装着された場合に、頭部に沿って左右の耳介に向けて延在する帯状の本体フレーム２０と、脳波を検出するための１又は複数の電極（第一電極３４ａ）を有し、本体フレーム２０の長手方向におけるいずれか一方の端部側にのみ設けられる電極部３０と、電極部３０で検出された脳波を計測するための信号処理をする計測部４０とを備える。【選択図】図３
2018102413.tif 000002
【特許請求の範囲】
【請求項１】
頭部に装着可能な脳波計であって、
前記脳波計が前記頭部に装着された場合に、前記頭部に沿って左右の耳介に向けて延在する帯状の本体フレームと、
脳波を検出するための１又は複数の電極を有し、前記本体フレームの長手方向におけるいずれか一方の端部側にのみ設けられる電極部と、
前記電極部で検出された脳波を計測するための信号処理をする計測部とを備える
脳波計。
【請求項２】
前記計測部は、前記本体フレームの長手方向における前記一方の端部と反対側の他方の端部側に設けられる
請求項１に記載の脳波計。
【請求項３】
前記電極部は、前記本体フレームの長手方向に移動可能に前記本体フレームに支持される
請求項１又は２に記載の脳波計。
【請求項４】
前記電極は、前記本体フレームの短手方向の、略中央に配置される
請求項１〜３のいずれか１項に記載の脳波計。
【請求項５】
前記本体フレームには、前記本体フレームの短手方向の略中央に、前記本体フレームを貫通する開口が形成され、
前記開口は、前記本体フレームの長手方向に延在し、
前記電極は、前記開口に位置する
請求項４に記載の脳波計。
【請求項６】
前記電極部は、さらに、前記本体フレームを前記本体フレームの厚み方向から挟むように形成された取付部と、前記電極が検出した前記脳波に応じた信号を増幅するアンプとを有し、
前記電極は、前記脳波計が前記頭部に装着された場合に、前記取付部の前記頭部側に配置され、
前記アンプは、前記脳波計が前記頭部に装着された場合に、前記頭部側とは反対側の前記取付部に配置される
請求項４に記載の脳波計。
【請求項７】
さらに、前記本体フレームの短手方向の略中央に配置される軸体と、前記軸体を中心に回動自在な支持部を備え、
前記支持部は、前記支持部の一方の端部側が前記軸体に軸支され、
前記電極は、前記支持部の前記一方の端部側とは反対側の他方の端部側に設けられる
請求項１〜３のいずれか１項に記載の脳波計。
【請求項８】
前記計測部は、前記本体フレームの長手方向に移動可能に前記本体フレームに支持される
請求項１〜７のいずれか１項に記載の脳波計。
【請求項９】
前記電極部は、一対の電極を有する
請求項１〜８のいずれか１項に記載の脳波計。
【発明の詳細な説明】
【技術分野】
【０００１】
本発明は、脳波計に関する。
【背景技術】
【０００２】
脳活動を計測する装置として、脳波計が知られている。脳波計は、頭部に配置された電極で脳活動に伴う電位の変化を計測することにより、脳活動を非侵襲に計測する装置である（例えば、特許文献１参照）。
【０００３】
特許文献１に記載の脳波計は、複数の電極を含み、当該複数の電極がフレキシブル表面に設けられ、使用者の頭回りに少なくとも部分的に置かれるように構成されるハウジング、及び、当該ハウジングの内側に少なくとも１つの弾性バンドを含む。
【０００４】
また、特許文献１に記載の脳波計は、さらに弾性バンドの内側に位置決めストラップを含み、フレキシブル表面へ固定される。また、位置決めストラップは開口部を含む。ハウジングが使用者の頭に置かれた場合に、当該開口部を通って、電極が突出する。
【０００５】
これにより、ハウジングが使用者の頭の回りに置かれた場合に、使用者の頭の回りにハウジングを置くことで生じる伸長による弾性要素内の応力が、使用者の頭の曲線に従って、頭骨の方向へ複数の電極に圧力をかける。そのため、複数の電極は、頭部に効果的に接触される。
【先行技術文献】
【特許文献】
【０００６】
【特許文献１】特開２０１３−５０９９０６号公報
【発明の概要】
【発明が解決しようとする課題】
【０００７】
しかしながら、頭部への脳波計の装着しやすさの点において、特許文献１に記載の脳波計は、さらなる改善の余地がある。
【０００８】
本発明は、頭部への装着が容易な脳波計を提供する。
【課題を解決するための手段】
【０００９】
本発明の一態様に係る脳波計は、頭部に装着可能な脳波計であって、前記脳波計が前記頭部に装着された場合に、前記頭部に沿って左右の耳介に向けて延在する帯状の本体フレームと、脳波を検出するための１又は複数の電極を有し、前記本体フレームの長手方向におけるいずれか一方の端部側にのみ設けられる電極部と、前記電極部で検出された脳波を計測するための信号処理をする計測部とを備える。
【発明の効果】
【００１０】
本発明の脳波計によれば、頭部への装着が容易である。
【図面の簡単な説明】
【００１１】
【図１】図１は、実施の形態１に係る脳波計を含むリハビリテーションシステムの構成を示す構成図である。
【図２】図２は、電極を配置する場所を説明するための頭部の模式図である。
【図３】図３は、実施の形態１に係る脳波計の斜視図である。
【図４】図４は、実施の形態１に係る脳波計の上面図である。
【図５】図５は、使用者に装着された状態における実施の形態１に係る脳波計の正面図である。
【図６】図６は、図５のＶＩ−ＶＩ線に沿って切断された電極部の断面図である。
【図７】図７は、使用者に装着された状態における実施の形態１に係る脳波計の上面図である。
【図８】図８は、実施の形態２に係る脳波計の斜視図である。
【図９】図９は、実施の形態２に係る電極部の構造を説明するための概略図である。
【図１０】図１０は、図８のＸ−Ｘ線に沿って切断された電極部の断面図である。
【図１１】図１１は、実施の形態３に係る脳波計の斜視図である。
【図１２】図１２は、図１１のＸＩＩ−ＸＩＩ線に沿って切断された電極部の断面図である。
【図１３】図１３は、実施の形態３に係る電極部の上面図である。
【図１４】図１４は、使用者に装着された状態における実施の形態３に係る脳波計の上面図である。
【発明を実施するための形態】
【００１２】
以下、実施の形態に係る脳波計について、図面を参照しながら説明する。なお、以下で説明する実施の形態は、いずれも包括的又は具体的な例を示すものである。以下の実施の形態で示される数値、形状、材料、構成要素、構成要素の配置位置及び接続形態等は、一例であり、本発明を限定する主旨ではない。また、以下の実施の形態における構成要素のうち、最上位概念を示す独立請求項に記載されていない構成要素については、任意の構成要素として説明される。
【００１３】
なお、各図は模式図であり、必ずしも厳密に図示されたものではない。また、各図において、実質的に同一の構成に対しては同一の符号を付しており、重複する説明は省略又は簡略化される場合がある。
【００１４】
また、本明細書において、Ｚ軸方向を鉛直方向とし、Ｚ軸の正方向を上方と定義する。また、各図におけるＸ軸及びＹ軸は、Ｚ軸に直交する方向であるとする。また、Ｘ軸は、Ｙ軸と直交する方向であるとする。また、本明細書においては、Ｘ軸方向を左右方向とし、Ｙ軸方向を前後方向とし、Ｚ軸方向を上下方向として記載する場合がある。
【００１５】
なお、本明細書において、「略」又は「約」とは、製造又は配置の際に生じる誤差を含むことを意味する。
【００１６】
（実施の形態１）
［リハビリテーションシステムの構成］
以下、図１及び図２を参照して、運動療法によるリハビリテーションの際に、脳波解析に基づいて、随意運動を補助するために用いられるリハビリテーションシステムについて説明する。
【００１７】
図１に示されるように、リハビリテーションシステム１は、脳波計１００、提示装置８０及び電動装具９０を備える。
【００１８】
脳波計１００は、使用者１０である患者の頭に装着するヘッドホン形状を有する。脳波計１００は、例えば、使用者１０の右半身の随意運動を支配する左運動野の脳波、又は、使用者１０の左半身の随意運動を支配する右運動野の脳波を検出する。また、使用者１０は、脳波計を装着した際に、リファレンス電極７０を左右の耳朶に装着する。脳波計１００は、検出した脳波を増幅して脳波信号として生成し、例えば無線により脳波信号を提示装置８０に出力する。
【００１９】
図２は、脳波計１００が使用者１０の頭部に装着された場合に、電極を配置する場所を説明するための頭部の模式図である。具体的には、図２は、国際１０−２０法による定められた電極の配置を説明するための使用者１０の頭部の模式図である。より具体的には、図２の（ａ）は、電極が配置される頭部の側面図であり、図２の（ｂ）は、電極が配置される頭部の正面図であり、図２の（ｃ）は、電極が配置される頭部の上面図である。
【００２０】
図２の（ａ）に示されるように、まず、鼻根から頭頂を経由して後頭結節に至る頭部表面の第一距離Ｄ１と、図２の（ｂ）に示されるように、左の耳介前点から頭頂を経由して右の耳介前点に至る頭部表面の第二距離Ｄ２（耳珠間頭頂弧長）とが計測される。次に、第一距離Ｄ１の中点及び第二距離Ｄ２の中点から正中中心部Ｃｚが決められる。次に、鼻根から後頭結節との間、及び、左右の耳介前点の間のそれぞれの全体を「１００％」として、図２の（ａ）〜（ｃ）に示されるように、所定の割合に分割した位置が電極の配置位置として決められる。例えば、左運動野と対応できる電極の位置の一例として、国際１０−２０法では、図２の（ｃ）に示す中心部Ｃ４の位置を挙げることができる。つまり、左運動野の脳波を計測したい場合には、電極を図２の（ｃ）に示す中心部Ｃ４の位置にあてて脳波は計測される。また、例えば、右運動野と対応できる電極の位置の一例として、国際１０−２０法では、図２の（ｃ）に示す中心部Ｃ３の位置を挙げることができる。つまり、右運動野の脳波を計測したい場合には、電極を図２の（ｃ）に示す中心部Ｃ３の位置にあてて脳波は計測される。
【００２１】
提示装置８０は、使用者１０に脳波計１００で計測された脳波信号を使用者１０に提示する装置である。提示装置８０は、スピーカ８１、画像表示部８２、操作部８３及び制御装置８４を備える。
【００２２】
スピーカ８１は、制御装置８４から入力される音響信号に基づいて、使用者１０に音又は音声を提示する音発生器である。スピーカ８１は、アンプ等によって実現される。
【００２３】
画像表示部８２は、制御装置８４から与えられる制御信号に基づいて、使用者１０に視覚情報を提示する。画像表示部８２は、例えば、ディスプレイである。ここで、使用者１０に提示される情報は、使用者１０がどのようなイメージをすれば良いかの指示に関する指示情報と、使用者１０が指示通りにイメージできているかのフィードバック情報とを含む。
【００２４】
操作部８３は、例えば、マウスやタッチパネル等として構成される。リハビリテーションの補助者１１、例えば作業療法士は、操作部８３を介して使用者１０に関する各種情報を制御装置８４に登録したり、制御装置８４に対する訓練の開始や停止の指示を入力したりする。操作部８３がタッチパネルとして構成される場合には、画像表示部８２に一体化することもできる。
【００２５】
制御装置８４は、脳波計１００から取得した脳波信号に応じて、スピーカ８１、画像表示部８２を制御するコンピュータである。制御装置８４は、ＣＰＵ（Ｃｅｎｔｒａｌ  Ｐｒｏｃｅｓｓｉｎｇ  Ｕｎｉｔ）、とＣＰＵが実行する制御プログラムが格納されたＨＤＤ（Ｈａｒｄ  Ｄｉｓｋ  Ｄｒｉｖｅ）等のメモリによって実現される。
【００２６】
電動装具９０は、使用者１０の腕及び手等を他動的に運動させる装置である。電動装具９０は、装具９１と、電動モータ９２と、筋刺激電極９３とを備える。
【００２７】
装具９１は、使用者１０の指及び腕に装着される装着器具である。装具９１は、図示しないワイヤーにより電動モータ９２と接続されている。
【００２８】
電動モータ９２は、装具９１の肘付近に取り付けられているモータである。電動モータ９２の出力軸と装具９１とは、図示しないワイヤーにより接続されている。このため、電動モータ９２が動作することにより、装具９１の一部又は全部がワイヤーにより引っ張られることで、使用者１０の指、手首、腕等が他動的に運動させられる。
【００２９】
筋刺激電極９３は、使用者１０の前腕部に筋刺激を与えるための電極である。筋刺激電極９３は、例えばＥＲＤ（Ｅｖｅｎｔ−Ｒｅｌａｔｅｄ  Ｄｅｓｙｎｃｈｒｏｎｉｚａｔｉｏｎ：事象関連脱同期）検出のタイミングに基づいて制御される制御装置８４による筋刺激電極９３間の電流制御によって使用者１０の前腕部に電気的な刺激を与える。この電気的な刺激が使用者１０の前腕部の筋刺激となる。筋刺激電極９３による筋刺激及び電動モータ９２の制御にともなう装具９１による使用者１０の指及び腕等の他動的な運動は、使用者１０の体性感覚へのフィードバックとなる。
【００３０】
リハビリテーションの訓練は、操作部８３からの開始指示によって開始される。リハビリテーションの補助者１１又は使用者１０自身の操作により、操作部８３から開始指示が制御装置８４に入力され、一連の訓練のプロセスが実行される。
【００３１】
訓練のプロセスは、一例として、リラックスして特定の思考を想起しないことが求められる安定期間と、運動意図を表出することが求められる運動イメージ期間とを交互に繰り返す。例えば、リハビリテーションシステム１は、さらにペグ９４を備えてもよい。
【００３２】
使用者１０は、運動イメージ期間において、例えば掴んだペグ９４を離す動作を繰り返す。制御装置８４は、訓練のプロセスが実行される場合に、安定期間のときには「リラックスしてください」等のメッセージ、及び、運動イメージ期間のときには「イメージしてください」等のメッセージを画像表示部８２に表示させる。また、制御装置８４は、安定期間の開始時及び運動イメージ期間の開始時にスピーカ８１に報知音を提示させる。使用者１０は、スピーカ８１からの報知音、及び、画像表示部８２の表示内容の少なくとも一方から安定期間から運動イメージ期間に移行した旨を認識し、運動意図の表出を行う。
【００３３】
［脳波計の構成］
次に、図３〜図７を参照して、脳波計１００の構成の詳細について説明する。
【００３４】
図３は、実施の形態１に係る脳波計１００の斜視図である。図４は、実施の形態１に係る脳波計１００の上面図である。図５は、使用者１０に装着された状態における実施の形態１に係る脳波計１００の正面図である。図６は、図５のＶＩ−ＶＩ線に沿って切断された電極部３０の断面図である。
【００３５】
図３〜図６に示されるように、脳波計１００は、本体フレーム２０と、電極部３０と、計測部４０と、接触部６１と、リファレンス電極７０とを備える。なお、図４及び図６においてはリファレンス電極７０の記載を省略している。
【００３６】
また、図６において、Ｚ１軸方向を本体フレーム２０の法線方向（厚み方向）とし、Ｚ１軸の正方向側を電極部３０の天面５１側と定義する。また、Ｘ１軸及びＹ１軸は、Ｚ１軸に直交する方向であるとする。また、Ｘ１軸は、Ｙ１軸と直交する方向であるとする。
【００３７】
本体フレーム２０は、使用者１０の頭部に装着された場合に、頭頂から左右の耳介のそれぞれに向けて延びる正面視において半円形状となる帯状のフレームである。つまり、本体フレーム２０は、脳波計１００が使用者１０の頭部に装着された場合に、頭部に沿って左右の耳介に向けて延在する帯状のフレームである。脳波計１００は、軽量化、簡易装着等の観点から、片側の運動野のみの脳波を計測できるように、片側のみに脳波を計測するための電極を備える。本体フレーム２０の材料は、特に限定されないが、例えば、樹脂材料が採用される。
【００３８】
具体的には、本体フレーム２０の長手方向の一方側には電極部３０が本体フレーム２０の長手方向に移動可能に取り付けられ、他方側には計測部４０が本体フレーム２０の長手方向に移動可能に取り付けられている。より具体的には、電極部３０は、本体フレーム２０の長手方向におけるいずれか一方の端部側にのみ設けられる。また、計測部４０は、本体フレーム２０の長手方向における上述した一方の端部と反対側の他方の端部側に設けられる。
【００３９】
電極部３０は、脳波を検出するための１又は複数の電極を有し、本体フレーム２０の長手方向におけるいずれか一方の端部側にのみ設けられる、使用者１０の脳波を検出する電極を有する装置である。電極部３０は、使用者１０が脳波計１００を頭部に装着したときに、使用者１０の運動意図に関連する脳波を計測しやすい位置に配置されている。具体的には、電極部３０は、例えば、使用者１０の右半身の随意運動を支配する左運動野、又は、使用者１０の左半身の随意運動を支配する右運動野と対応できる位置に配置するとよい。また、電極部３０は、本体フレーム２０の長手方向に移動可能に本体フレーム２０に支持される。電極部３０は、取付部３１と、調整つまみ３２、電極ケース３３と、電極対３４と、アンプ３５とを備える。
【００４０】
取付部３１は、本体フレーム２０を本体フレーム２０の厚み方向（図６に示すＺ１軸方向）から挟むように形成される。また、取付部３１は、前後方向（Ｙ軸方向）において本体フレーム２０を覆うように本体フレーム２０に取り付けられている。また、取付部３１は、本体フレーム２０に対して移動可能に取り付けられる。つまり、電極部３０は、取付部３１によって本体フレーム２０に対して移動可能に取り付けられている。取付部３１は、調整つまみ３２を備える。
【００４１】
調整つまみ３２は、本体フレーム２０に対して取付部３１が移動可能な状態と、本体フレーム２０に対して取付部３１が移動不能な状態とに切り替えるためのつまみである。調整つまみ３２は、例えば、ねじである。図６に示されるように、調整つまみ３２は、例えば使用者１０に調整されることで、本体フレーム２０の上部に接触する。これにより、調整つまみ３２は、本体フレーム２０に対して電極部３０を係止する。
【００４２】
電極ケース３３は、取付部３１の上部側に配置され、アンプ３５を収容するケースである。
【００４３】
取付部３１、調整つまみ３２及び電極ケース３３の材料は、特に限定されるものではないが、例えば樹脂材料が採用される。
【００４４】
電極対３４は、脳波を計測するための２つの電極（第一電極３４ａ及び第二電極３４ｂ）である電極対３４は、本体フレーム２０の下部側（図６に示すＺ１負方向側）に配置される。第一電極３４ａ及び第二電極３４ｂの材料は、金属であればよく、特に限定されないが、例えば銀塩化銀電極である。
【００４５】
電極対３４は、脳波計１００が頭部に装着された場合に、取付部３１の頭部側に配置される。また、電極対３４を構成する第一電極３４ａ及び第二電極３４ｂは、本体フレーム２０の長手方向に並べて配置されている。例えば、第一電極３４ａは中心部Ｃ３の脳波を検出するためのものである。その場合に、第二電極３４ｂは、中心部Ｃ３の周囲の脳波を検出するためのものである。
【００４６】
また、脳波計１００は、一箇所の脳波（例えば中心部Ｃ３）の脳波を計測するため第一電極３４ａ及び第二電極３４ｂで構成された電極対３４を用いる。具体的には、電極部３０は、中心部Ｃ３の脳波と、中心部Ｃ３の周囲の脳波とを検出する。例えば、計測部４０は、中心部Ｃ３の周囲に配置された第二電極３４ｂで検出された脳波を用いて、中心部Ｃ３に配置された第一電極３４ａで検出された脳波のノイズを除去する。
【００４７】
また、第一電極３４ａ及び第二電極３４ｂは、本体フレーム２０の短手方向の、略中央に配置される。
【００４８】
なお、脳波計１００が備える脳波を検出するための電極（例えば、第一電極３４ａ）は、１又は複数でよく、電極の数は特に限定されない。例えば、脳波計１００は、第一電極３４ａを１つ有し、第二電極３４ｂを有さなくてもよい。
【００４９】
アンプ３５は、電極対３４で検出された脳波に応じた信号を増幅するための増幅器である。具体的には、アンプ３５は、電極対３４で検出された脳波に応じた電位を増幅する。アンプ３５は、脳波計１００が頭部に装着された場合に、頭部側とは反対側の取付部３１に配置される。また、電極対３４とアンプ３５とは、金属リード線（不図示）等によって電気的に接続される。
【００５０】
計測部４０は、電極部３０で検出された使用者１０の脳波を計測するための信号処理をする処理部である。具体的には、計測部４０は、電極部３０の電位とリファレンス電極７０の基準電位との電位差を脳波信号として生成し、提示装置８０（図１参照）に脳波信号を出力する装置である。また、計測部４０は、本体フレーム２０の長手方向における、電極部３０が取り付けられる一方の端部と反対側の他方の端部側に設けられる。また、計測部４０は、本体フレーム２０の長手方向に移動可能に本体フレーム２０に支持される。計測部４０は、計測部取付部４１と、調整つまみ４２と、電源ケース４３と、回路部４４と、電源部４５とを備える。
【００５１】
計測部取付部４１は、前後方向Ｙにおいて本体フレーム２０を跨ぐように本体フレーム２０に取り付けられている。また、計測部取付部４１は、本体フレーム２０に対して移動可能に取り付けられる。つまり、計測部４０は、計測部取付部４１によって本体フレーム２０に対して移動可能に取り付けられている。計測部取付部４１は、調整つまみ４２を備える。
【００５２】
調整つまみ４２は、本体フレーム２０に対して計測部取付部４１が移動可能な状態と、本体フレーム２０に対して計測部取付部４１が移動不能な状態とに切り替えるためのつまみである。調整つまみ４２は、例えばねじである。
【００５３】
電源ケース４３は、計測部取付部４１の上部側に配置され、回路部４４及び電源部４５を収容するケースである。
【００５４】
計測部取付部４１、調整つまみ４２及び電源ケース４３の材料は、特に限定されるものではないが、例えば樹脂材料が採用される。
【００５５】
回路部４４は、電極部３０から取得した脳波から脳波信号を生成し、提示装置８０（図１参照）に出力する回路である。また、回路部４４は、電極部３０の電極対３４が計測した電位とリファレンス電極７０の基準電位との電位差を増幅する差動増幅回路を有する。また、回路部４４は、提示装置８０に脳波信号を無線で送信する通信回路を有する。
【００５６】
電源部４５は、回路部４４に電力を供給する電源である。電源部４５は、例えば、電池である。
【００５７】
接触部６１は、脳波計１００が使用者１０に装着される際に、頭部のこめかみに接触し、頭部に対して本体フレーム２０の位置ずれを抑制する部分である。接触部６１は、前後方向（Ｙ軸方向）に延在し、使用者１０のこめかみに接触可能なクッション６１ａと、前後方向に延在し、クッション６１ａを保持する保持部６１ｂとを備える。また、保持部６１ｂの前後方向の両端部分には、滑り止め部６１ｃが形成されている。滑り止め部６１ｃは、前後方向に突出する３本の突部からなり、接触部６１の位置調整のために補助者１１又は使用者１０が接触部６１を把持したときの指が滑ることを抑制する。接触部６１の材料は、特に限定されないが、例えば、樹脂材料が採用される。
【００５８】
リファレンス電極７０は、基準電位を検出する電極である。リファレンス電極７０は、例えば、本体フレーム２０の長手方向の両方側の端部に設けられる。基準電位は、例えば、図１にされるように、リファレンス電極７０を使用者１０に接触されることで検出される。なお、リファレンス電極７０は、本体フレーム２０の長手方向の一方側の端部に取り付けられてもよい。リファレンス電極７０が本体フレーム２０の長手方向の両端部に取り付けられた場合、各リファレンス電極７０の電位の平均を基準電位としてもよい。
【００５９】
また、計測部４０、電極部３０及びリファレンス電極７０は、図示されていない金属リード線により電気的に接続されている。リード線は、本体フレーム２０内に収容されている。
【００６０】
図７は、使用者１０に装着された状態における実施の形態１に係る脳波計１００の上面図である。具体的には、図７の（ａ）は、使用者１０に装着された状態における実施の形態１に係る脳波計１００の上面図であり、図７の（ｂ）は、図７の（ａ）とは逆の向きで使用者１０に脳波計１００が装着された場合を示す脳波計１００の上面図である。なお、図７において、リファレンス電極７０の記載を省略している。
【００６１】
図７の（ａ）に示すように、例えば、使用者１０は、Ｙ軸負方向側を向くように脳波計１００を装着する。この場合、脳波計１００は、図２に示す中心部Ｃ４の脳波を計測する。
【００６２】
また、図７の（ｂ）に示すように、例えば、使用者１０は、Ｙ軸正方向側を向くように脳波計１００を装着する。具体的には、図７の（ｂ）においては、図７の（ａ）に示す脳波計１００の向きを変えずに、使用者１０は、脳波計１００をＹ軸正方向側を向いて装着する。言い換えると、図７の（ｂ）においては、使用者１０は、脳波計１００の前後方向（短手方向）を図７の（ａ）とは逆にして脳波計１００を装着する。この場合、脳波計１００は、図２に示す中心部Ｃ３の脳波を計測する。つまり、脳波計１００によれば、使用者１０が脳波計１００を装着する向きを変更するだけで、中心部Ｃ３又は中心部Ｃ４に電極対３４の位置をあわせることができる。
【００６３】
［効果等］
以上、実施の形態１に係る脳波計１００は、頭部に装着可能な脳波計であって、脳波計１００が使用者１０の頭部に装着された場合に、頭部に沿って左右の耳介に向けて延在する帯状の本体フレーム２０と、電極部３０と、計測部４０とを備える。電極部３０は、脳波を検出するための１又は複数の電極（例えば第一電極３４ａ及び第二電極３４ｂ）を有し、本体フレーム２０の長手方向におけるいずれか一方の端部側にのみ設けられる。計測部４０は、電極部３０で検出された脳波を計測するための信号処理をする。
【００６４】
これにより、脳波計１００には、例えば使用者１０の頭部における中心部Ｃ３又は中心部Ｃ４の脳波を計測するために必要な電極部３０が、本体フレーム２０の長手方向におけるいずれか一方の端部側にのみ設けられる。つまり、本体フレーム２０には、使用者１０の脳波を計測するために必要な構成のみが配置されるため、脳波計１００を軽くすることができる。そのため、脳波計１００は、使用者１０の頭部への装着が容易となる。さらには、脳波計１００によれば、使用者１０は、脳波計１００を装着した際における、脳波計１００の重さによる使用者１０のストレスが抑制される。
【００６５】
また、計測部４０は、本体フレーム２０の長手方向における、電極部３０が配置される一方の端部と反対側の他方の端部側に設けられてもよい。
【００６６】
こうすることで、脳波計１００は、本体フレーム２０の長手方向側の両端の重さのバランスをとることができる。そのため、脳波計１００によれば、使用者１０は、脳波計１００を装着時に、本体フレーム２０の長手方向の両端にバランスよく重さが加わりやすくなる。つまり、脳波計１００によれば、脳波計１００を装着した際における、脳波計１００の重さによる使用者１０のストレスが抑制される。
【００６７】
また、電極部３０は、本体フレーム２０の長手方向に移動可能に本体フレーム２０に支持されてもよい。
【００６８】
こうすることで、使用者１０の頭部のサイズ等にあわせて、詳細に電極対３４が頭部に接触する位置を調整され得る。
【００６９】
また、電極（例えば第一電極３４ａ）は、本体フレーム２０の短手方向の、略中央に配置されてもよい。
【００７０】
こうすることで、使用者１０は、脳波計１００の前後方向（短手方向）を逆にして脳波計１００を装着した場合、使用者１０の中心線に対して対称位置に電極は配置される。つまり、電極対３４は、使用者１０が脳波計１００の前後方向を逆にして脳波計１００を装着することで、使用者１０の左右の反転させた位置の脳波を計測することができる。
【００７１】
また、例えば、電極部３０は、さらに、本体フレーム２０を本体フレーム２０の厚み方向から挟むように形成された取付部３１と、電極（例えば、第一電極３４ａ）が検出した脳波に応じた信号を増幅するアンプ３５とを有してもよい。この場合に、電極（例えば、第一電極３４ａ）は、脳波計１００が頭部に装着された場合に、取付部３１の頭部側に配置され、アンプ３５は、脳波計１００が頭部に装着された場合に、頭部側とは反対側の取付部３１に配置されてもよい。
【００７２】
こうすることで、使用者１０が脳波計１００の前後方向を逆にして脳波計１００を装着することで、左右方向に反転させた位置の頭部に電極対を接触させることができる。つまり、脳波計１００によれば、使用者１０が脳波計１００の前後方向を逆にして脳波計１００を装着することで、左右方向に反転させた位置の脳波を計測することができる。
【００７３】
また、計測部４０は、本体フレーム２０の長手方向に移動可能に本体フレーム２０に支持されてもよい。
【００７４】
こうすることで、電極部３０の設置位置にあわせて、計測部４０の位置が調整され得る。そのため、脳波計１００によれば、脳波計１００を装着した際に、本体フレーム２０の長手方向の両端にバランスよく重さが使用者１０に加わりやすくなる。つまり、脳波計１００によれば、脳波計１００を装着した際に、脳波計１００の重さによる使用者１０のストレスが抑制される。
【００７５】
また、電極部３０は、一対の電極３４を有してもよい。
【００７６】
つまり、脳波計１００によれば、２つの電極（例えば第一電極３４ａ及び第二電極３４ｂ）で構成される電極対３４が使用者１０の脳波を計測したい位置の頭部に、頭部と接触して配置される。この場合に、２つの電極（例えば第一電極３４ａ及び第二電極３４ｂ）で計測される２つの脳波に応じた信号（例えば、電位）の差分を計測することにより、計測部４０は、当該２つの信号の差分を計測点の脳波信号として取得する。これにより、脳波計１００によれば、正確な脳波信号を取得しやすい。
【００７７】
（実施の形態２）
上述したように、実施の形態１に係る脳波計１００は、本体フレーム２０における使用者１０側に電極を配置し、使用者１０と反対側にアンプ３５を配置して構成された。ここで、電極は、本体フレーム２０の短手方向の略中央に配置されればよく、電極部の構成は特に限定されない。実施の形態２に係る本体フレーム２０には、厚み方向に貫通した開口が形成されており、当該開口に、電極（電極対）が配置される。なお、実施の形態２に係る脳波計において、実施の形態１に係る脳波計１００と、実質的に同一の構成に対しては同一の符号を付しており、重複する説明は省略又は簡略化される場合がある。
【００７８】
［脳波計の構造］
以下、図８〜図１０を参照して、実施の形態２に係る脳波計の構成の詳細について説明する。
【００７９】
図８は、実施の形態２に係る脳波計の斜視図である。
【００８０】
図８に示すように、脳波計１００ａは、本体フレーム２０ａと、電極部３０ａと、計測部４０と、接触部６１と、リファレンス電極７０とを備える。
【００８１】
実施の形態２に係る脳波計１００ａは、実施の形態１に係る脳波計１００とは本体フレーム２０ａと電極部３０ａとが異なる。
【００８２】
本体フレーム２０ａは、使用者１０の頭部に装着された場合に、頭頂から左右の耳介のそれぞれに向けて延びる正面視において半円形状となる帯状のフレームである。言い換えると、本体フレーム２０ａは、脳波計１００ａが使用者１０の頭部に装着された場合に、頭部に沿って左右の耳介に向けて延在する帯状のフレームである。
【００８３】
また、本体フレーム２０ａには、本体フレーム２０ａの短手方向の略中央に、本体フレーム２０ａの厚み方向に貫通する開口２１が形成されている。また、開口２１は、本体フレーム２０ａの長手方向に延在して本体フレーム２０ａに形成されている。開口２１には、電極部３０ａが有する電極対３６（第一電極３６ａ及び第二電極３６ｂ）が移動可能に位置する。
【００８４】
電極部３０ａは、使用者１０の脳波を検出する電極を有する装置である。電極部３０ａは、取付部３１ａと、調整つまみ３２、第一電極ケース３３ａと、第二電極ケース３３ｂと、電極対３６と、アンプ３５とを備える。
【００８５】
取付部３１ａは、前後方向（Ｙ軸方向）において本体フレーム２０ａを覆うように本体フレーム２０ａに取り付けられている。また、取付部３１ａは、本体フレーム２０ａに対して移動可能に取り付けられる。
【００８６】
また、取付部３１ａには、本体フレーム２０ａを貫通する開口３１ｃが形成されている。開口３１ｃには、電極対３６が移動可能に位置する。
【００８７】
また、取付部３１ａの上側（Ｚ軸正方向側）には、本体フレーム２０の長手方向が長手方向となる略楕円筒状の第一電極ケース３３ａが取り付けられている。第一電極ケース３３ａには、第二電極ケース３３ｂが第一電極ケース３３ａに対して移動可能に嵌め合わせられている。
【００８８】
図９は、実施の形態２に係る電極部３０ａの構造を説明するための概略図である。図１０は、図８のＸ−Ｘ線に沿って切断された電極部３０ａの断面図である。
【００８９】
なお、図９及び図１０において、Ｚ１軸方向を本体フレーム２０ａの法線方向（厚み方向）とし、Ｚ１軸の正方向側を電極部３０ａの天面５１側と定義する。また、Ｘ１軸及びＹ１軸は、Ｚ１軸に直交する方向であるとする。また、Ｘ１軸は、Ｙ１軸と直交する方向であるとする。
【００９０】
図９及び図１０に示されるように、第一電極ケース３３ａには、第一電極３６ａ及び第二電極３６ｂで構成された電極対３６が挿入されている。また、本体フレーム２０ａが使用者１０に装着された場合における、第一電極ケース３３ａの頭部（使用者１０）側には、電極対３６が移動可能な開口が形成されている。
【００９１】
電極対３６は、例えば銀塩化銀電極であり、第一電極ケース３３ａに対して第二電極ケース３３ｂと一体的に移動可能である。
【００９２】
第一電極３６ａ及び第二電極３６ｂは、第一電極ケース３３ａの長手方向に並べて配置されている。また、第一電極ケース３３ａと第二電極ケース３３ｂとにより形成された内部空間には、ばね材５０が収容されている。ばね材５０の一端は電極対３６に取り付けられ、他端は第二電極ケース３３ｂに取り付けられている。
【００９３】
図９に示されるように、電極対３６は、白抜矢印の方向に第二電極ケース３３ｂを第一電極ケース３３ａに対して移動させることにより、第一電極ケース３３ａ側（白抜き矢印が示す方向）に移動する。これにより、電極対３６の第一電極ケース３３ａからの突出距離が小さくなる。この際に、第一電極ケース３３ａと第二電極ケース３３ｂとにより形成された内部空間に収容されたばね材５０は、第一電極ケース３３ａに対する第二電極ケース３３ｂの移動にともない伸長する。このため、第二電極ケース３３ｂには、ばね弾性力による取付部３１に向けて付勢される力が加えられる。
【００９４】
さらに、内部を斜線で記載した矢印の方向に、第一電極ケース３３ａに対して第二電極ケース３３ｂを移動して第二電極ケース３３ｂの開口部の端面である第二端面３３ｄが第一電極ケース３３ａの端面である第一端面３３ｃと接触する。これにより、ばね材５０が第二電極ケース３３ｂを取付部３１側に付勢したとしても第二電極ケース３３ｂの取付部３１ａへの移動が制限される。
【００９５】
図１０の（ａ）に示されるように、第二電極ケース３３ｂを図９に示す白抜矢印の方向に移動させることにより、電極対３６が使用者１０の頭部から離れた状態となる。
【００９６】
さらに、図１０の（ｂ）に示される状態に第二電極ケース３３ｂを移動させることにより、電極対３６は使用者１０の頭部に接触される。また、図１０の（ｂ）において、電極対３６は、開口２１に配置される。具体的には、電極対３６は、本体フレーム２０ａの短手方向の略中央に形成される開口２１に配置される。
【００９７】
［効果等］
以上、実施の形態２に係る脳波計１００ａは、本体フレーム２０ａには、本体フレーム２０ａの短手方向の略中央に、本体フレーム２０ａを貫通する開口２１が形成され、開口２１は、本体フレーム２０の長手方向に延在し、電極（例えば第一電極３６ａ）は、開口２１に位置する。
【００９８】
これにより、電極対３６は、使用者１０が脳波計１００ａの前後方向を逆にして脳波計１００ａを装着することで、左右方向に反転させた位置の脳波を計測することができる。さらには、使用者１０が頭部に脳波計１００ａを装着した場合においても、電極対３６と頭部との接触／非接触を切り替えることができる。そのため、脳波計１００ａによれば、使用者１０が頭部に脳波計１００ａを装着している状態においても、電極部３０ａを移動しやすい。つまり、脳波計１００ａによれば、使用者１０が頭部に脳波計１００ａを装着している状態においても、使用者１０に対する電極対３６の位置を調整しやすい。
【００９９】
（実施の形態３）
上述したように、実施の形態１に係る脳波計１００及び実施の形態２に係る脳波計１００ａでは、本体フレームの短手方向の略中央に電極（電極対）が配置された。実施の形態３の脳波計は、本体フレームの短手方向の略中央に配置される軸体を有し、当該軸体を中心に電極（電極対）は回動する。
【０１００】
［脳波計の構造］
以下、図１１〜図１４を参照して、実施の形態３に係る脳波計の構成の詳細について説明する。
【０１０１】
図１１は、実施の形態３に係る脳波計の斜視図である。図１２は、図１１のＸＩＩ−ＸＩＩ線に沿って切断された電極部の断面図である。具体的には、図１２の（ａ）は、電極部が、本体フレームの短手方向の一方側に位置する場合を示す模式断面図であり、図１２の（ｂ）は、図１２の（ａ）とは反対側の本体フレームの短手方向の他方側に位置する場合を示す模式断面図である。図１３は、実施の形態３に係る電極部の上面図である。具体的には、図１３の（ａ）は、図１２の（ａ）に対応した、本体フレームの短手方向の一方側に位置する場合に電極部を天面側から見たときの模式図である。また、図１３の（ｂ）は、図１２の（ｂ）に対応した、本体フレームの短手方向の他方側に位置する場合に電極部を天面側から見たときの模式図である。
【０１０２】
なお、図１２及び図１３において、Ｚ１軸方向を本体フレーム２０ｂの法線方向（厚み方向）とし、Ｚ１軸の正方向側を電極部３０ｂの天面５１側と定義する。また、Ｘ１軸及びＹ１軸は、Ｚ１軸に直交する方向であるとする。また、Ｘ１軸は、Ｙ１軸と直交する方向であるとする。また、Ｘ１軸は、Ｙ１軸と直交する方向であるとする。
【０１０３】
図１１〜図１３に示されるように、脳波計１００ｂは、本体フレーム２０と、電極部３０ｂと、計測部４０と、接触部６１と、リファレンス電極７０とを備える。
【０１０４】
実施の形態３に係る脳波計１００ｂは、実施の形態１に係る脳波計１００及び実施の形態２に係る脳波計１００とは電極部が異なる。
【０１０５】
電極部３０ｂは、使用者１０の脳波を検出する電極を有する装置である。電極部３０ｂは、取付部３１ｂと、調整つまみ３２、第一電極ケース３３ａと、第二電極ケース３３ｂと、電極対３６と、アンプ３５と、支持部３７と、軸体３８とを備える。
【０１０６】
取付部３１ｂは、前後方向（Ｙ軸方向）において本体フレーム２０を覆うように本体フレーム２０に取り付けられている。また、取付部３１ｂは、本体フレーム２０に対して移動可能に取り付けられる。また、取付部３１ｂには、支持部３７の一端側を軸支するための軸体３８が配置される。
【０１０７】
軸体３８は、支持部３７を取付部３１ｂに支持する軸である。具体的には、軸体３８は、支持部３７の一方の端部側を軸支する。軸体３８は、本体フレーム２０の短手方向の略中央に配置される。
【０１０８】
支持部３７は、軸体３８を中心に回動自在であり、第一電極ケース３３ａを支持する部材である。支持部３７は、支持部３７の一方の端部側が軸体３８に軸支される。支持部３７は、支持部３７の一方の端部側が軸体３８に軸支される。また、電極対３６（第一電極３６ａ及び第二電極３６ｂ）は、支持部３７の軸体３８が軸支される一方の端部側とは反対側の他方の端部側に設けられる。
【０１０９】
図１２の（ａ）及び図１３の（ａ）に示されるように、支持部３７は軸体３８によって、取付部３１ｂに軸支される。また、図１２の（ｂ）及び図１３の（ｂ）に示されるように、支持部３７は、軸体３８を中心に回動され得る。具体的には、図１２の（ｂ）及び図１３の（ｂ）は、図１２の（ａ）及び図１３の（ａ）の支持部３７の状態から、軸体３８を中心に支持部３７を１８０度回動させた状態である。これにより、電極対３６は、本体フレーム２０を挟んで対向する位置に移動され得る。言い換えると、脳波計１００ｂによれば、電極部３０ｂの天面５１の位置が、本体フレーム２０を挟んで、対抗する位置に回動され得る。
【０１１０】
また、支持部３７の軸体に軸支される一方の端部側の反対側の他方の端部側に略楕円筒状の第一電極ケース３３ａ（具体的には、電極対３６）が配置される。
【０１１１】
第一電極ケース３３ａには、第二電極ケース３３ｂが第一電極ケース３３ａに対して移動可能に嵌め合わせられている。
【０１１２】
第一電極３６ａ及び第二電極３６ｂは、第一電極ケース３３ａの長手方向に並べて配置されている。また、第一電極ケース３３ａと第二電極ケース３３ｂとにより形成された内部空間には、ばね材５０が収容されている。ばね材５０の一端は電極対３６に取り付けられ、他端は第二電極ケース３３ｂに取り付けられている。そのため、電極対３６は、第一電極ケース３３ａに対して第二電極ケース３３ｂと一体的に移動可能である。つまり、実施の形態３に係る電極部３０ｂの第一電極ケース３３ａ、第二電極ケース３３ｂ及び電極対３６の構造は、実施の形態２に係る電極部３０ａと実質的に同様である。
【０１１３】
図１４は、使用者に装着された状態における実施の形態３に係る脳波計１００ｂの上面図である。具体的には、図１４の（ａ）は、使用者１０に装着された状態における実施の形態３に係る脳波計１００ｂの上面図であり、図１４の（ｂ）は、図１４の（ａ）とは逆の向きで使用者１０に脳波計１００ｂが装着された場合を示す脳波計１００ｂの上面図である。より具体的には、図１４の（ｂ）は、図１４の（ａ）とは逆の向きで、且つ、図１４の（ａ）の電極対３６の位置を本体フレーム２０に対して対向する位置に回動させた状態で、使用者１０に脳波計１００ｂが装着された場合を示す脳波計１００ｂの上面図である。なお、図１４において、リファレンス電極７０の記載を省略している。
【０１１４】
図１４の（ａ）に示すように、例えば、使用者１０は、Ｙ軸負方向側を向くように脳波計１００ｂを装着する。この場合、脳波計１００ｂは、図２に示す中心部Ｃ４の脳波を計測する。
【０１１５】
また、図１４の（ｂ）に示すように、例えば、使用者１０は、Ｙ軸正方向側を向くように脳波計１００ｂを装着する。具体的には、図１４の（ｂ）においては、図１４の（ａ）に示す脳波計１００ｂの向きを変えずに、使用者１０は、脳波計１００を、Ｙ軸正方向側を向いて装着する。言い換えると、図１４の（ｂ）においては、使用者１０は、脳波計１００ｂの前後方向（短手方向）を図１４の（ａ）とは逆にして脳波計１００を装着する。さらに、図１４の（ｂ）においては、図１４の（ａ）の電極対３６の位置を本体フレーム２０に対して対向する位置に回動させた状態（軸体３８を中心に支持部３７を１８０度回動させた状態）で、使用者１０は脳波計１００ｂが装着する。この場合、脳波計１００ｂは、図２に示す中心部Ｃ３の脳波を計測する。つまり、脳波計１００ｂによれば、軸体３８を中心に支持部３７を１８０度回動させ、使用者１０が脳波計１００ｂを装着する向きを変更するだけで、中心部Ｃ３又は中心部Ｃ４に電極対３６の位置をあわせることができる。
【０１１６】
［効果等］
以上、実施の形態３に係る脳波計１００ｂは、本体フレーム２０ｂの短手方向の略中央に配置される軸体３８と、軸体３８を中心に回動自在な支持部３７を備える。支持部３７は、支持部３７の一方の端部側が軸体３８に軸支される。電極（例えば第一電極３６ａ）は、支持部３７の、支持部３７が軸体３８に軸支される一方の端部側とは反対側の他方の端部側に設けられる。
【０１１７】
これにより、電極対３６は、使用者１０が脳波計１００の前後方向を逆にして脳波計１００ｂを装着することで、左右方向に反転させた位置（具体的には中心部Ｃ３又は中心部Ｃ４）の脳波を計測することができる。さらには、使用者１０が頭部に脳波計１００ｂを装着した場合においても、電極対３６と頭部との接触／非接触を切り替えることができる。そのため、脳波計１００ｂによれば、使用者１０が頭部に脳波計１００ｂを装着している状態においても、電極部３０ｂを移動しやすい。
【０１１８】
（その他の実施の形態）
以上、実施の形態に係る脳波計について説明したが、本発明は、上記実施の形態に限定されるものではない。
【０１１９】
例えば、上記実施の形態では、制御装置は、プロセッサがプログラムを実行することによってソフトウェア的に実現されたが、このような実現方法に限定されない。制御装置は、ゲートアレイ等を用いた専用の電子回路によってハードウェア的に実現されてもよい。
【０１２０】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【０１２１】
２０、２０ａ  本体フレーム
２１  開口
３０、３０ａ、３０ｂ  電極部
３１、３１ａ、３１ｂ  取付部
３２  調整つまみ
３４、３６  電極対
３４ａ、３６ａ  第一電極（電極）
３４ｂ、３６ｂ  第二電極（電極）
３５  アンプ
３７  支持部
３８  軸体
４０  計測部
１００、１００ａ、１００ｂ  脳波計
【図１】
2018102413.tif 000003
【図２】
2018102413.tif 000004
【図３】
2018102413.tif 000005
【図４】
2018102413.tif 000006
【図５】
2018102413.tif 000007
【図６】
2018102413.tif 000008
【図７】
2018102413.tif 000009
【図８】
2018102413.tif 000010
【図９】
2018102413.tif 000011
【図１０】
2018102413.tif 000012
【図１１】
2018102413.tif 000013
【図１２】
2018102413.tif 000014
【図１３】
2018102413.tif 000015
【図１４】
2018102413.tif 000016